(57)【要約】【課題】確実に遠隔操作ができると共に、見栄え、収納性に優れた酸素富化機を提供する。【解決手段】空気中の酸素濃度を高める酸素富化膜ユニット２を有する本体１と、前記酸素富化膜ユニット２で生成された酸素富化空気を吐出するとともに変形自在な材質で形成されたチューブ１１などからなる酸素富化空気吐出手段７と、前記本体１内に設けられ前記酸素富化膜ユニット２を運転制御する基板１０と、前記基板１０とリード線３１で電気的に接続されると共に前記本体１と分離された操作部３０とを備え、前記チューブ１１及び前記リード線３１のそれぞれのすくなくとも一部を同一配管部材３３に収納したもので、本体１から露出されるチューブ１１やリード線３１を一つに収めることにより、見栄えが良く、互いに絡まったりすること無く、且つ収納性も向上する。【選択図】図１
2006304820.tif 000002
【特許請求の範囲】
【請求項１】
空気中の酸素濃度を高める酸素富化手段を有する本体と、前記酸素富化手段で生成された酸素富化空気を吐出するとともに変形自在な材質で形成されたチューブなどからなる酸素富化空気吐出手段と、前記本体内に設けられ前記酸素富化手段を運転制御する制御手段と、前記制御手段とリード線等からなる導体で電気的に接続されると共に前記本体と分離された操作手段とを備え、前記チューブ及び前記導体のそれぞれのすくなくとも一部を同一配管部材に収納した酸素富化機。
【請求項２】
配管部材を軟質の材料で形成したことを特徴とする請求項１に記載の酸素富化機。
【請求項３】
配管部材の表面にねずみ、ゴキブリなどの害虫除去用の材料を塗布、もしくは前記配管部材自体に前記害虫除去用の材料を含有させたことを特徴とする請求項１又は２に記載の酸素富化機。
【請求項４】
配管部材の表面に防音部材を付着、もしくは前記配管部材自体に防音性に優れた材料を含有させたことを特徴とする請求項１〜３のいずれか１項に記載の酸素富化機。
【請求項５】
配管部材の表面に断熱部材を付着、もしくは前記配管部材自体に断熱性に優れた材料を含有させたことを特徴とする請求項１〜４のいずれか１項に記載の酸素富化機。
【発明の詳細な説明】
【技術分野】
【０００１】
本発明は、酸素富化手段を用いて得られる酸素濃度の高い空気、いわゆる酸素富化空気を使用者に提供する酸素富化機に関するものである。
【背景技術】
【０００２】
従来の酸素富化機としては、空気中の酸素を濃縮して酸素富化空気を発生させる本体と、これに接続され前記酸素富化空気を吐出する酸素富化空気吐出手段と、本体外郭面に設けられ酸素富化機を運転するための操作手段からなり、さらにマイナスイオン発生手段を備えるなどして色々に展開されてきている（例えば、特許文献１参照）。
【特許文献１】特開平１０−２３４８３６号公報
【発明の開示】
【発明が解決しようとする課題】
【０００３】
しかしながら、上記従来の酸素富化機の構成では、酸素富化機を運転するための操作手段が本体外郭面に設けられているため、ソファー、マッサージ機などに座って酸素富化機を使用する場合、また前記に限らず使用者が酸素富化機本体から離れた場所で使用する場合などにおいては、操作手段にまで使用者の手が届かないため、操作性が不便な時があった。
【０００４】
これを解決する方法としては、操作手段を無線方式のリモコンにすることは可能であるが、コストが大幅にＵＰすることや、酸素富化機本体はソファーの裏側など人の目に付かない場所、すなわち無線方式のリモコンでは操作不可能な場所に設置される場合も多く、無線方式の採用は困難であった。
【０００５】
そこで、操作手段を有線方式のリモコンとすることで、前記無線方式の場合の課題は解決できるものの、操作手段と本体とを接続する配線と、本体から酸素富化空気吐出手段へ酸素富化空気を送出するための管の両方が、本体より露出しているため、見栄えも悪く、またそれらの線や、管の収納も非常に困難になるという課題があった。
【０００６】
本発明は、上記従来の課題を解決するもので、有線で、確実な遠隔操作が可能な操作手段を備えながらも、見栄えが良好で、且つ収納性にも優れた酸素富化機を提供することを目的とするものである。
【課題を解決するための手段】
【０００７】
前記従来の課題を解決するために、本発明の酸素富化機は、空気中の酸素濃度を高める酸素富化手段を有する本体と、前記酸素富化手段で生成された酸素富化空気を吐出するとともに変形自在な材質で形成されたチューブなどからなる酸素富化空気吐出手段と、前記本体内に設けられ前記酸素富化手段を運転制御する制御手段と、前記制御手段とリード線等からなる導体で電気的に接続されると共に前記本体と分離された操作手段とを備え、前記チューブ及び前記導体のそれぞれのすくなくとも一部を同一配管部材に収納したもので、本体から露出されるチューブや導体が一つの配管部材に収められることにより、見栄えが良く、互いに絡まったりすること無く、且つ収納性も向上する。
【発明の効果】
【０００８】
本発明の酸素富化機は、有線で遠隔操作が確実な操作手段を備えながらも、見栄えが良好で、且つ収納性にも優れたものである。
【発明を実施するための最良の形態】
【０００９】
第１の発明は、空気中の酸素濃度を高める酸素富化手段を有する本体と、前記酸素富化手段で生成された酸素富化空気を吐出するとともに変形自在な材質で形成されたチューブなどからなる酸素富化空気吐出手段と、前記本体内に設けられ前記酸素富化手段を運転制御する制御手段と、前記制御手段とリード線等からなる導体で電気的に接続されると共に前記本体と分離された操作手段とを備え、前記チューブ及び前記導体のそれぞれのすくなくとも一部を同一配管部材に収納したもので、本体から露出されるチューブや導体が一つの配管部材に収められることにより、見栄えが良く、互いに絡まったりすること無く、且つ収納性も向上する。
【００１０】
第２の発明は、特に、第１の発明の配管部材を軟質の材料で形成したもので、酸素富化空気吐出手段及び操作手段の位置を自在に変更しやすくなり、より操作性を向上させることができる。
【００１１】
第３の発明は、特に、第１又は第２の発明の配管部材の表面にねずみ、ゴキブリなどの害虫除去用の材料を塗布、もしくは前記配管部材自体に前記害虫除去用の材料を含有させたもので、チューブや導体が、害虫に食われることを防止することができる。
【００１２】
第４の発明は、特に、第１〜３のいずれか一つの発明の配管部材の表面に防音部材を付着、もしくは前記配管部材自体に防音性に優れた材料を含有させたもので、酸素富化空気吐出手段のチューブ内で発生する風きり音などを防音し、運転時の静音化を図ることができる。
【００１３】
第５の発明は、特に、第１〜４のいずれか一つの発明の配管部材の表面に断熱部材を付着、もしくは前記配管部材自体に断熱性に優れた材料を含有させたもので、比較的湿度の高い酸素富化空気が酸素富化空気吐出手段のチューブ内で結露するのを防止することができる。
【００１４】
以下、本発明の実施の形態について、図面を参照しながら説明する。なお、この実施の形態によって本発明が限定されるものではない。
【００１５】
（実施の形態１）
以下、本発明の第１の実施の形態における酸素富化機について、図１、２を用いて説明する。図１（ａ）は、本実施の形態における酸素富化機の正面図、（ｂ）は、同酸素富化機の側面図、（ｃ）は、同酸素富化機の裏面図、（ｄ）は、同酸素富化機の断面図、図２は、同酸素富化機の操作部の部分断面斜視図である。
【００１６】
図１において、酸素富化機本体１（以下、「本体１」と称す）の内部には、前記本体１内に吸引された空気の酸素の濃度を高め、いわゆる酸素富化空気を生成する酸素富化手段である酸素富化膜ユニット２を内設している。吸引された空気が酸素富化膜ユニット２を通過することで空気の酸素濃度は、通過前の通常の２１％（窒素約７９％）から、約３０％（窒素約７０％）に高められる。
【００１７】
また、本体１の内部には、本体１の背面に設けた吸気口３から前記本体１内に外気を吸引する吸気手段２６が設けられ、その吸気手段２６により吸引された空気が酸素富化膜ユニット２に送られ、酸素富化膜ユニット２が有する酸素富化膜（図示せず）を通過しない空気は、本体１の側面に設けた排気口４から外部へ排出される。
【００１８】
５は、前記本体１内に吸引された空気の一部を、酸素富化膜ユニット２を形成する酸素富化膜（図示せず）を通して吸引する吸引手段となるポンプで、ポンプ５の吐出側は本体１の側面に設けられた吐出口６と連通され、さらにその吐出口６には、酸素富化空気を外部に吐出する酸素富化空気吐出手段７が連結されている。
【００１９】
前記ポンプ５及び吸気手段２６の運転は、本体１内に配された制御手段である基板１０によって制御されている。前記基板１０と、本体１の外部に分離して設けられた操作部３０内部に備えた操作基板３２とは、導体であるリード線３１で接続されている。一方酸素富化空気吐出手段７は、使用者の耳、首元に掛けるヘッドセット８と、ヘッドセット８の一部に回動又は傾動自在に設けられ使用者の口元に位置調整可能なマウス９と、変形自在なように軟体からなり一端が吐出口６に接続され他端が操作部３０内部を経由してマウス９に接続されたチューブ１１から構成され、吐出口６から吐出された酸素富化空気がマウス９より使用者の口元に吐出されるようになっている。
【００２０】
本実施の形態の特徴は、吐出口６から操作部３０までの経路において、酸素富化空気吐出手段７のチューブ１１とリード線３１の双方を配管部材３３で同時に包み込む構成にある。
【００２１】
次に上記構成に基づく酸素富化機の動作について説明する。
【００２２】
酸素富化空気を吸引する場合の使用者の体勢としては、主にリラックスできる状態であるのはいうまでもなく、ソファー、ベッド、マッサージ機などに座ったり、寝ている状態で使用されることが多い。この場合に、本体１は床面などに置かれて使用されるために、操作部が従来のように本体１の外観面に設置されていると、使用者が体を起こさないと操作部に手が届かないことがある。
【００２３】
上記課題を解決するために、本実施の形態では、操作部３０を本体１から分離し、本体１内の制御手段である基板１０と操作部３０内の操作基板３２をリード線３１で接続し、遠隔操作できるようにすると共に、前記リード線３１の本体１からの出口を、酸素富化空気吐出手段７のチューブ１１を接続する吐出口６の近傍に設け、更に吐出口６から操作部３０までの間は、チューブ１１とリード線３１の双方を一つの配管部材３３で同時に包み込むことで、操作部３０までの配管上の見栄えが向上し、且つ使用時、及び収納時においてリード線３１、チューブ３が絡まるなどの不便さを解消することができる。
【００２４】
従って、配管部材３３の材料は、酸素富化空気吐出手段７のチューブ１１同様に、軟質の材料がベターであるが、本体１と操作部３０を固定して使用する場合、例えば一般家庭用でも設置タイプであったり、例えば業務用・店舗用・オフィス用などの場合においては、配管部材３３が床下・天井などに配管されるため、軟質の材料ではなく、硬質の材料で構成した方がよりベターな場合もある。
【００２５】
また、前述のように配管部材３３を床下・天井などに配管する場合においては、配管部材３３がねずみ、ゴキブリなどの害虫に食われる可能性があるため、配管部材３３の表面に害虫除去用の材料を塗布する、もしくは害虫除去用の材料を配管部材３３の材料自体に含有させることで、配管部材３３の損傷を防止することができる。
【００２６】
また、酸素富化膜ユニット２内の酸素富化膜を通して外気を吸引するポンプ５については、非常に高い真空圧を必要とするものであるため、ポンプ５内で空気の出し入れをするためのバルブ（図示せず）が開閉する際に空気の脈動音が発生する。この音は酸素富化空気吐出手段７のチューブ１１内を経由するとともに、チューブ３の表面を透過して外部に漏れる場合がある。この透過音を抑えるために、配管部材３３の内面に防音部材を貼り付ける、もしくは防音性に優れた材料を配管部材３３自体に含有させることで、透過音を抑制し、運転時の静音化を図ることができる。
【００２７】
また、酸素富化膜ユニット２は水分も多く通過させるため、酸素富化空気は外気よりも湿度が高くなる。従ってポンプ５などの熱で比較的外気よりも温度が高い本体１内から、温度が低い外気に接しているチューブ１１内に、温度、湿度共に高い酸素富化空気が流れ込んだときに、結露しチューブ１１内などに水が溜まる場合がある。このような場合は、配管部材３３の内面に断熱材を貼り付ける、もしくは断熱性に優れた材料を配管部材３３自体に含有させることで、チューブ３内での結露を防ぐことができる。
【産業上の利用可能性】
【００２８】
本発明にかかる酸素富化機は、遠隔操作が確実な操作手段を備えながらも、見栄えが良好で、且つ収納性にも優れたもので、家庭用・店舗用・業務用などの特に常設タイプの酸素富化機に広く適用できる。
【図面の簡単な説明】
【００２９】
【図１】（ａ）本発明の実施の形態１における酸素富化機の正面図（ｂ）同酸素富化機の側面図（ｃ）同酸素富化機の裏面図（ｄ）同酸素富化機の断面図
【図２】同酸素富化機の操作部の部分断面斜視図
【符号の説明】
【００３０】
１    酸素富化機本体（本体）
２    酸素富化膜ユニット（酸素富化手段）
６    吐出口
７    酸素富化空気吐出手段
１０  基板（制御手段）
１１  チューブ
２６  吸気手段
３０  操作部（操作手段）
３１  リード線（導体）
３２  操作基板
３３  配管部材
【図１】
2006304820.tif 000003
【図２】
2006304820.tif 000004